(57)【特許請求の範囲】
【請求項１】
シートの異なる位置に配設された３以上の発熱体と、前記発熱体ごとに通電を制御する制御部と、を備え、
前記発熱体ごとに基準発熱量及び最小発熱量が定められ、
前記最小発熱量として、前記発熱体の配設位置に応じて、前記基準発熱量に対して小さい第１の最小発熱量又はそれよりも一段と小さい第２の最小発熱量が設定されており、
前記制御部は、前記発熱体のうちの少なくとも１つを、所定時間、設定された前記最小発熱量とするように通電し、且つ前記最小発熱量とする前記発熱体を着座者の肩部と膝部とを通る方向の順に又は循環するように切り替えることを特徴とするシートヒータ。
【請求項２】
前記制御部は、前記最小発熱量とする前記発熱体について前記最小発熱量とする直前の発熱量を所定時間増加させる請求項１に記載のシートヒータ。
【請求項３】
前記３以上の発熱体は、着座者の肩、背中、腰、尻及び腿に対応する前記シートの各位置に配設されている発熱体を含み、
少なくとも腰及び尻の位置に配設されている前記発熱体は前記第２の最小発熱量が設定されており、その他の位置に配設されている前記発熱体は前記第１の最小発熱量が設定されている請求項１又は２に記載のシートヒータ。
【請求項４】
前記３以上の発熱体は、着座者の肩、背中、腰、尻及び腿に対応する前記シートの各位置に配設されている発熱体を含み、
少なくとも腰及び尻の位置に配設されている前記発熱体は、その他の位置に配設されている前記発熱体と比べて最小発熱量の継続時間が長い請求項１又は２に記載のシートヒータ。
【発明の詳細な説明】
【技術分野】
【０００１】
本発明はシートヒータに関し、詳しくは、シートに複数設けた各発熱体の発熱量を制御することにより着座者に爽快感を与えることができるシートヒータに関する。
【背景技術】
【０００２】
従来、車両等のシートの座面部や背もたれ部に発熱体を備え、着座者を暖めるシートヒータが用いられている。このようなシートヒータの多くは、シートヒータ全体の発熱体の発熱量を変化させたり、発熱体への通電をオン、オフしたりすることによって温度の調整がされている。
また、車両用シートヒータでは、着座した乗員を暖めるのみでなく、着座者に快適性を提供するものが知られている。例えば、着座者を支持する支持部材に備えられる発熱ユニットが複数のブロックに区分けされ、その発熱ユニットの運転に際し、発熱体の通電状態をブロック毎に変更して制御するヒータ装置が知られている（特許文献１を参照）。
【先行技術文献】
【特許文献】
【０００３】
【特許文献１】特開２０１０−４０１８５号公報
【発明の概要】
【発明が解決しようとする課題】
【０００４】
車両等のシートに設けられるシートヒータは、１又は複数の発熱体に通電することによって着座者を暖めている。前記のとおり、多くのシートヒータではシートヒータ全体の発熱量を変化させることによって温度の調整がされているが、シートヒータを長時間にわたって使用したときには着座者との間に熱がこもって蒸れが生じ、快適性を損なうということがあった。また、発熱体への通電をオン、オフして温度調整を図る場合には、通電をオフしたときに着座者に温熱の低下を感じさせてしまうという問題があった。
特許文献１に記載された前記ヒータ装置によれば、発熱体を複数のブロックに分け、部分的に通電状態（オン、オフ）の変更を繰り返すことにより同一箇所を長時間にわたって加熱し続けることがないため、着座者を支持する支持部材と着座者との間で熱がこもって蒸れることがなくなる。しかし、１つの発熱体への通電をオフした場合には着座者に当該部位の温熱低下が体感され、温熱刺激を与えることはできても、そのような通電状態の変更を複数設けられた発熱体について規則性なく行ったのでは、着座者に対して温度変化を体感させることができない。
【０００５】
本発明は、上記現状に鑑みてなされたもので、シートに複数設けた各発熱体の発熱量を流れるように低下させる制御により、着座者に爽快感を与えることができるシートヒータを提供することを目的とする。
【課題を解決するための手段】
【０００６】
前記問題点を解決するために、本第１発明のシートヒータは、シートの異なる位置に配設された３以上の発熱体と、前記発熱体ごとに通電を制御する制御部と、を備え、前記発熱体ごとに基準発熱量及び最小発熱量が定められ、前記最小発熱量として、前記発熱体の配設位置に応じて、前記基準発熱量に対して小さい第１の最小発熱量又はそれよりも一段と小さい第２の最小発熱量が設定されており、前記制御部は、前記発熱体のうちの少なくとも１つを、所定時間、設定された前記最小発熱量とするように通電し、且つ前記最小発熱量とする前記発熱体を着座者の肩部と膝部とを通る方向の順に又は循環するように切り替えることを要旨とする。
本第２発明は、前記第１発明において、前記制御部は、前記最小発熱量とする前記発熱体について前記最小発熱量とする直前の発熱量を所定時間増加させることを要旨とする。
本第３発明は、前記第１又は第２発明において、前記３以上の発熱体は、着座者の肩、背中、腰、尻及び腿に対応する前記シートの各位置に配設されている発熱体を含み、少なくとも腰及び尻の位置に配設されている前記発熱体は前記第２の最小発熱量が設定されており、その他の位置に配設されている前記発熱体は前記第１の最小発熱量が設定されていることを要旨とする。
本第４発明は、前記第１又は第２発明において、前記３以上の発熱体は、着座者の肩、背中、腰、尻及び腿に対応する前記シートの各位置に配設されている発熱体を含み、少なくとも腰及び尻の位置に配設されている前記発熱体は、その他の位置に配設されている前記発熱体と比べて最小発熱量の継続時間が長いことを要旨とする。
【発明の効果】
【０００７】
本発明によれば、シートの異なる位置に配設された３以上の発熱体と、その発熱体ごとに通電を制御する制御部と、を備え、前記発熱体ごとに基準発熱量及び最小発熱量が定められ、前記最小発熱量として、前記発熱体の配設位置に応じて、前記基準発熱量に対して小さい第１の最小発熱量又はそれよりも一段と小さい第２の最小発熱量が設定されており、制御部は、発熱体のうちの少なくとも１つを、所定時間、設定された最小発熱量とするように通電するため、シートヒータ全体から得られる温熱感を損なうことなく、シートヒータを長時間にわたって発熱させたときにシート表面と着座者との間に熱がこもって蒸れが生じるのを防止することができる。しかも、最小発熱量とする発熱体を着座者の肩部と膝部とを通る方向の順に又は循環するように切り替えるため、温熱の減少部位が流れるように移動する温熱ゆらぎによって着座者を刺激し、着座者に爽快なリフレッシュ感を与えることができる。
【０００８】
前記発熱体ごとに前記最小発熱量及びその継続時間が定められているため、人体各部位の温熱感覚の相違や、各発熱体と着座者との間の熱のこもり易さに応じて最小発熱量及び継続時間を設定することができるため、着座者に対して部分的な温熱低下による違和感を与えることなく、より効果的にリフレッシュ感を与えることができる。
また、前記制御部は、最小発熱量とする発熱体の発熱量を最小発熱量とする直前の所定時間において増加させる場合は、その発熱体の部位をわずかに温度上昇させた後に下降させるため、着座者は最小発熱量となったときの変化をより刺激的に体感することができ、着座者の爽快なリフレッシュ感を増すことができる。
【０００９】
前記３以上の発熱体は、着座者の肩、背中、腰、尻及び腿に対応する前記シートの各位置に配設されている発熱体を含み、少なくとも腰及び尻の位置に配設されている発熱体は前記第２の最小発熱量が設定されており、その他の位置に配設されている発熱体は前記第１の最小発熱量が設定されている場合は、その各部位を最小発熱部が流れるように移動するため、着座者の肩から腿までの各部位に対して温熱ゆらぎを与え、爽快なリフレッシュ効果を奏することができる。
また、熱がこもり易い部位の発熱体に対して、最小発熱量をより小さくすることにより、肩から腿までの全体にわたる温熱サイクルの時間を変えることなく、効果的な温熱ゆらぎが得られ着座者に爽快なリフレッシュ感を与えることができる。
前記第１又は第２発明において、前記３以上の発熱体は、着座者の肩、背中、腰、尻及び腿に対応する前記シートの各位置に配設されている発熱体を含み、少なくとも腰及び尻の位置に配設されている発熱体は、その他の位置に配設されている発熱体と比べて最小発熱量の継続時間が長い場合は、その各部位を最小発熱部が流れるように移動するため、着座者の肩から腿までの各部位に対して温熱ゆらぎを与え、爽快なリフレッシュ効果を奏することができる。
また、熱がこもり易い部位の発熱体に対して、最小発熱量の継続時間が長いため、肩から腿までの全体にわたる温熱サイクルの時間を変えることなく、効果的な温熱ゆらぎが得られ着座者に爽快なリフレッシュ感を与えることができる。
【図面の簡単な説明】
【００１０】
本発明について、本発明による典型的な実施形態の非限定的な例を挙げ、言及された複数の図面を参照しつつ以下の詳細な記述によって更に説明するが、同様の参照符号は図面のいくつかの図を通して同様の部品を示す。
【図１】本シートヒータを設けた自動車用シートの例を示す斜視図である。
【図２】シートの各部位に設けられた発熱体の発熱量の制御方法（１）を説明するための図表である。
【図３】制御方法１によるシート各部位の発熱体の発熱量の時間変化を示すグラフであり、（ａ）はシートの肩部、（ｂ）は背部、（ｃ）は腰部、（ｄ）は尻部、（ｅ）は腿部に設けられた発熱体の発熱量の時間変化を示す。
【図４】シートの各部位に設けられた発熱体の発熱量の別の制御方法２を説明するための図表である。
【図５】図４の制御方法２におけるステップＳ２の具体的な制御例を説明するための図表である。
【図６】シートの各部位に設けられた発熱体の発熱量の別の制御方法３を説明するための図表である。
【図７】シートの各部位に設けられた発熱体の発熱量の別の制御方法４を説明するための図表である。
【図８】図７の制御方法４におけるステップＳ１の具体的な制御例を説明するための図表である。
【図９】シートの腰部に設けられた発熱体による当該部位の初期状態からの温度変化と着座者による評価値とを示すグラフである。
【発明を実施するための形態】
【００１１】
１．シートヒータの構成
以下、図１〜９を参照しながら本発明のシートヒータを詳しく説明する。
本シートヒータは、シートの異なる位置に配設された３以上の発熱体と、発熱体ごとに通電を制御する制御部と、を備える。本シートヒータが設けられるシートは特に限定されず、例えば、車両用シート、室内用シートのような様々なシートが挙げられる。
図１は、本シートヒータを設けた車両用シートの例を示す。車両用シート２は、背もたれ部２１と座面部２２からなっている。シートヒータ１は、シート２の異なる位置の表層に配設された発熱体３１〜３５、及び各発熱体と接続された制御部４を備えている。本例においては５つの発熱体を備え、着座者の肩、背、腰、尻及び腿の各部位に対応するシートの各位置に、肩部発熱体３１、背部発熱体３２、腰部発熱体３３、尻部発熱体３４及び腿部発熱体３５が設けられている。各発熱体３１〜３５は、制御部４によりそれぞれ独立して通電が制御され、それによって発熱量が変化する。
【００１２】
１つのシートに設けられる発熱体の数は３以上であれば限定されない。発熱体の数を３以上とするのは、最小発熱位置を順次切り替えることによってシートの温熱の減少部位が流れるように移動する温熱ゆらぎを得るためである。このような温熱ゆらぎにより着座者に対して爽快感があるリフレッシュ効果を奏する。各発熱体の配置や大きさも、シートに接する着座者の人体の部位ごとに温熱を与える限り特に問わない。また、隣り合う発熱体は隙間なく設けられてもよいし、隙間を空けて設けられてもよい。
前記３以上の発熱体は、着座者の肩、背、腰、尻及び腿の各部位に対応する上記発熱体３１〜３５を含むものとすることができる。更に、図１においては、肩部から膝部の５つに区分してそれぞれ発熱体が配設されているが、この区分に限られず任意の範囲で分割することができる。例えば、肩部から膝部までを６以上に分割してそれぞれ発熱体を設けてもよい。発熱体の数を増やすことによって、発熱体ごとの発熱量の変化を細やかにし、最小発熱領域の移動をなめらかにすることができる。また、シートを左右方向に区画して発熱体を設けてもよい。例えば、上記肩部を左右に分けて２つの発熱体を備えるようにしてもよい。
【００１３】
各発熱体の材料や構造も特に限定されず、例えば抵抗発熱線や面状発熱体等を使用することができる。各発熱体は、好ましくは着座者と接するシートの表層部等に設けられる。この表層部には、シートと一体になってシートの外面を覆うように設けられたシートカバーを含むことができる。例えば、上記発熱体３１〜３５を、シート内部に設けられているクッション材とシートカバーとの間に設けることができる。
【００１４】
制御部４は発熱体それぞれと接続されており、温熱ゆらぎを与えるよう所定時間ごとに発熱体ごとの発熱量を制御するように構成されている。上記所定時間は一律である必要はなく、発熱体の設けられている部位や発熱状態等によって異なる時間とすることができる。また、シートヒータの使用中常に温熱ゆらぎを生じさせる必要はなく、通電後の経過時間やシートの表面温度等によって、温熱ゆらぎを開始及び終了させることができる。シート各部位又は発熱体の温度を検出するための温度センサや、シート周辺の室温を検出するための温度センサ等が更に備えられてもよい。その場合には制御部４は、それらの温度を検知することによって、発熱量の大きさや温熱ゆらぎの制御開始・終了、上記所定時間等を変更することができる。
制御部４はハードウェアのみで構成されてもよいし、マイクロプロセッサ等を使用してハードウェアとソフトウェアとによって構成されてもよい。制御部４及び各発熱体用の電源は、例えば車両のバッテリから給電を受ける電源５により供給される。
【００１５】
各発熱体の発熱量は、それぞれに対する通電（供給電力）を制御することによって変化させることができる。通電の制御方法は任意に選択することができ、例えば、パルス幅変調（ＰＷＭ）、電圧制御、電流制御等が挙げられる。
シート上の部位ごとに、各発熱体を通常に発熱させる発熱量を基準発熱量として定めておくことができる。同じ発熱量であっても部位によって着座者の温熱感が相違し、また部位によって発熱体と着座者との間の熱のこもり方や蒸れの程度が異なるからである。発熱体ごとに基準発熱量を設定することによって、着座者の身体の各部位を適度に温めるようにすることができる。
【００１６】
基準発熱量は、発熱体に常時一定の通電をしたときの発熱量を最大発熱量として、部位ごとに最大発熱量に対して一定の比率により定めておくことができる。例えば、前記発熱体３１〜３５を設けたシート２の場合、肩部発熱体３１の基準発熱量はその最大発熱量の６０％、背部発熱体３２の基準発熱量はその最大発熱量の４０％、腰部発熱体３３の基準発熱量はその最大発熱量の４０％、尻部発熱体３４の基準発熱量はその最大発熱量の６０％、腿部発熱体３５の基準発熱量はその最大発熱量の７０％程度とするように定める。これにより、通常の発熱量は腿部が大きく、背部や腰部が小さいようにすることができる。
各発熱体の基準発熱量は、発熱体ごとの最大発熱量や配設構造等によって適宜に設定されればよい。温熱ゆらぎの制御をしないときには、各部位の発熱体を基準発熱量の発熱に制御することができる。
【００１７】
制御部４は、予め定められた制御シーケンスに基づき、複数の発熱体のうちの少なくとも１つを、所定時間の間、最小発熱量とするように通電する。この最小発熱量は、基準発熱量で発熱していた発熱体の部位を温度降下させるときの発熱量であり、各発熱体が接する人体の部位によって発熱体ごとに設定することができる。最小発熱量は、発熱体が設けられた部位ごとに、当該部位の温度降下が着座者に体感されるように、任意に定められればよい。好ましくは、各発熱体の最小発熱量は、その部位の温度が過度に下がり過ぎないようし、且つ、その後の温度上昇を速やかにするように、それぞれの最大発熱量の０〜２０％程度の範囲で設定される。例えば、上記の背部発熱体３２の場合、最小発熱量を最大発熱量に対して１０％程度、すなわち基準発熱量（最大発熱量の４０％）の１／４程度とすることができる。また、最小発熱量として発熱量が０、すなわち発熱体に通電しない状態を含めてもよい。
【００１８】
２．シートヒータの制御方法及び動作
発熱体のうちの少なくとも１つを所定時間最小発熱量とするように通電し、その最小発熱量とする発熱体を配設位置の順に切り替える制御（温熱ゆらぎ制御）方法は、種々のパターンで設定することができる。温熱ゆらぎ制御を行わないときは、各発熱体をそれぞれの基準発熱量としておくことができる。そして温熱ゆらぎ制御を行うときには、例えば、所定時間ごとに、最小発熱量とする発熱体を肩部（発熱体３１）から膝部（発熱体３５）に向けて順番に切り替えたり、逆向きに切り替えたり、循環するように切り替えたりすることができる。
上記所定時間、すなわち発熱体の発熱量を変化させるタイミングは適宜に設定することができ、一定の時間ごとに発熱量を変更してもよいし、発熱体の部位によって異なる時間で発熱量を変更してもよい。また、温熱ゆらぎ制御開始後の経過時間やシート表層の温度、室温等によって異なる時間に設定されたり変更されたりしてもよい。
本シートヒータ１は、着座者に適切にリフレッシュ感を与えるように制御されればよく、例えば、以下に説明する各制御方法、又はそれらを組み合わせたものとすることができる。以下の制御方法では、シートに設けられた全ての発熱体に対して温熱ゆらぎ制御を行っているが、一部の範囲の発熱体（例えば、シートの背もたれ部に設けられた複数の発熱体）のみを対象として、同様の温熱ゆらぎ制御を行ってもよい。
更に、本シートヒータの制御方法を任意の条件で使用することができる。例えば、通電後一定時間は各発熱体を所定の温度を保つように発熱制御し、その後スイッチを用いて一定時間本シートヒータの制御方法を用いることにより、温熱ゆらぎによる効果をよりはっきりと体感することができる。また、シート等に設けられる温度センサ及び湿度センサ等によりシートの蒸れ等を検出する間、本シートヒータの制御方法を用いることにより、温熱ゆらぎによる効果をよりはっきりと体感することができる。
【００１９】
（１）制御方法１
図２は、図１に示したシートの温熱ゆらぎ制御例を示す。肩部、背部、腰部、尻部及び腿部は、それぞれ着座者の当該部位に相対する発熱体３１、３２、３３、３４及び３５を表わし、ステップＳ１〜Ｓ５は、所定時間（例えば、５〜２０秒）ごとに順次行う発熱量の制御を表わしている。ステップＳ１〜Ｓ５の各継続時間（期間）は、同じであってもよいし異なっていてもよい。
図表中のＢ、Ｄ及びＥは各発熱体の発熱量を表わし、「Ｂ」は基準発熱量としている状態、「Ｄ」は第１の最小発熱量（例えば、最大発熱量の１０％）としている状態、「Ｅ」は第１の最小発熱量よりも小さい第２の最小発熱量（例えば、発熱量が０）としている状態を示している。前記のとおり、基準発熱量Ｂは発熱体ごとに異なる値とすることができる。発熱体によって最小発熱量をＤ及びＥの２レベルとしているのは、部位に応じて温度降下による体感が着座者に対して刺激的に与えられるようにするためである。本例では、腰部発熱体３３及び尻部発熱体３４の最小発熱量を他の部位の最小発熱量よりも一段と小さくすることにより、熱がこもり易い腰部及び尻部の温度降下を大きくしている。
【００２０】
制御部４は、ステップＳ１からステップＳ５の順に、それぞれ基準発熱量Ｂで発熱している複数の発熱体３１〜３５のうちの１つを所定時間の間最小発熱量（Ｄ又はＥ）となるように通電し、且つ所定時間ごとに最小発熱量とする発熱体をその配設位置の順に切り替えるように通電を制御する。ステップ５で端の位置の腿部発熱体３５を最小発熱量とした後は、ステップ１に戻って最小発熱量の発熱体が循環するように切り替えることができる。また、ステップＳ１からステップＳ５までとは逆順に、腿部から肩部に向けて順次発熱体を最小発熱量にするようにしてもよい。このような制御を行うことにより、着座者の身体に対して温度降下部位が流れるように移動する温熱ゆらぎをもたらし、温熱が抜ける爽快感を与えてリフレッシュ効果を得ることができる。
【００２１】
図３は、図２に示した制御を行ったときの各発熱体の発熱量の変化を示す図である。同図（ａ）〜（ｅ）は、それぞれ肩部、背部、腰部、尻部及び腿部に対応する発熱体３１、３２、３３、３４及び３５を表わす。またステップＳ１〜Ｓ５はいずれも１５秒間としており、同図はステップＳ１からＳ５までの１サイクルのみを示している。
各発熱体の発熱量は制御部４によりＰＷＭ制御されるものとし、図３（ａ）〜（ｅ）の各縦軸はＰＷＭのデューティ比（百分率）を示している。各発熱体の発熱量は、ＰＷＭのデューティ比に略比例するものとすることができる。例えば、デューティ比が１００％のとき発熱量は最大発熱量である１００％となり、デューティ比が１０％のとき発熱量は１０％となるものとする。
図３中に示すように、各発熱体３１〜３５の発熱量は、基準発熱量Ｂ、第１の最小発熱量Ｄ、及び第２の最小発熱量Ｅの３つの状態に制御されている。基準発熱量Ｂは発熱体ごとに設定されており、肩部（ａ）及び尻部（ｄ）はデューティ比６０％、背部（ｂ）及び腰部（ｃ）はデューティ比４０％、腿部（ｅ）はデューティ比７０％とされている。また、第１の最小発熱量Ｄはデューティ比１０％、第２の最小発熱量Ｅはデューティ比０％すなわち通電しない状態としている。
【００２２】
最初のステップＳ１（１５秒間）においては、肩部発熱体３１が第１の最小発熱量Ｄとされ、それ以外の発熱体はそれぞれの基準発熱量Ｂとされる。これにより、着座者には肩部においてそれまでの温度からの低下を体感させることができる。
次のステップＳ２（１５秒間）には、肩部発熱体３１に隣接する背部発熱体３２のみが第１の最小発熱量Ｄとされ、それ以外の発熱体はそれぞれの基準発熱量Ｂとされる。これにより、着座者には相対的な冷感が肩部から背部に移動したように体感させることができる。
続くステップＳ３（１５秒間）には、背部発熱体３２に隣接する腰部発熱体３３のみが第２の最小発熱量Ｅとされ、それ以外の発熱体はそれぞれの基準発熱量Ｂとされる。これにより、着座者には相対的な冷感が背部から腰部に移動したように体感させることができる。また、熱がこもり易い腰部は一段と低い第２の最小発熱量Ｅとされているため、温度降下の刺激を強めることができる。
続くステップＳ４（１５秒間）には、腰部発熱体３３に隣接する尻部発熱体３４のみが第２の最小発熱量Ｅとされ、それ以外の発熱体はそれぞれの基準発熱量Ｂとされる。これにより、着座者には相対的な冷感が腰部から尻部に移動したように体感させることができる。熱がこもり易い尻部は、基準発熱量Ｂ（デューティ比６０％）と第２の最小発熱量Ｅ（デューティ比０％）との差を大きくしているため、冷感を強く与えることができる。
続くステップＳ５（１５秒間）には、尻部発熱体３４に隣接する腿部発熱体３５のみが第１の最小発熱量Ｄとされ、それ以外の発熱体はそれぞれの基準発熱量Ｂとされる。これにより、着座者には相対的な冷感が尻部から腿部に移動したように体感させることができる。腿部も基準発熱量Ｂ（デューティ比７０％）と第１の最小発熱量Ｄ（デューティ比１０％）との差を大きくしているため、冷感を強く与えることができる。
その後、最初のステップＳ１の状態に戻り、以後、これを繰り返して制御することができる。
【００２３】
（２）制御方法２
制御部４は、上記のように発熱体により最小発熱量を変更してもよいし、発熱体の配設位置により、その発熱体を最小発熱量とする時間を変更するように制御してもよい。例えば、腰部の発熱体及び尻部の発熱体について最小発熱量とする時間を長くすることができる。ただし、腰部及び尻部をそれぞれ最小発熱量とする時間（図２に示したステップＳ３及びＳ４）を単に長くしたのでは、順次流れるようなリフレッシュ感が損なわれて、当該部位の温度低下を強く感じさせることとなってしまう。これを避けるためには、例えば図４に示すように、前後のステップを含めて最小発熱量とすることができる。
【００２４】
図４の制御方法では、腰部の発熱体は、ステップＳ３とその前後のステップＳ２及びＳ４において最小発熱量Ｄとされている。同様に、尻部の発熱体は、ステップＳ５とその前後のステップＳ４及びＳ６において最小発熱量Ｄとされている。この場合、ステップＳ２、Ｓ４及びＳ６においては、隣接する２つの発熱体が最小発熱量とされる。
また、図４の制御の１サイクル（ステップＳ１〜Ｓ６）に要する時間を、図２に示した１サイクル（ステップＳ１〜Ｓ５）に要する時間と同じとすることも可能である。このような制御により、１サイクルの時間を変えないで、且つ各発熱体に対するデューティ比を変更することなく、温熱のこもりがちな部位に効果的に冷感を与えるとともに、流れるような爽快感を与えることが可能になる。
【００２５】
なお、図４に示すステップＳ３では、各発熱体の発熱量を調整している。ここで、発熱量の状態「Ａ」は、その発熱体の基準発熱量より幾分（例えば、最大発熱量の１０％）多い発熱量とし、発熱量の状態「Ｃ」は、その発熱体の基準発熱量より幾分（例えば、最大発熱量の１０％）少ない発熱量とすることができる。このように各発熱体の発熱量を適宜調整することによって、着座者に与える爽快感を最適にすることが可能となる。
【００２６】
図４に示した例では、特定の発熱体について、それを最小発熱量とするステップとその前後のステップとを合わせて最小発熱量に制御している。それにより、例えば、ステップＳ２において背部及び腰部が同時に最小発熱量Ｄとされることになる。この場合、ステップＳ２の制御は、図５に示すように、隣り合う発熱体について一部の時間のみが重なって最小発熱量Ｄとなるように制御することもできる。図５に示すステップＳ２は、背部及び腰部を基準発熱量ＢとするステップＳ２１と、背部及び腰部を最小発熱量ＤとするステップＳ２２とに分けられる。ステップＳ２１とＳ２２の各時間は適宜配分されればよい。また、背部と腰部とが異なるタイミングで切り替えられてもよい。このように隣り合う発熱体が同時に最小発熱量となる重複時間を適宜調整することによって、着座者に与えるリフレッシュ感を最適にすることも可能である。
【００２７】
（３）制御方法３
図６に示す制御方法は、上記制御方法１と２とを組み合わせたものであり、制御方法２において腰部及び尻部を所定時間第１の最小発熱量Ｄとしていたのを、１段と小さい第２の最小発熱量Ｅとする例である。制御方法１と同様に、第２の最小発熱量を０％すなわち通電しない状態にすれば、所定時間、腰部及び尻部の温度を制御方法２の場合に比べて大きく低下させることができ、当該部位の熱こもりが大きい場合に、より効果的に蒸れを抑制することができる。
【００２８】
（４）制御方法４
図７に示す制御方法は、制御方法２を基に、各発熱体を最小発熱量とする直前に一旦発熱量を増すように制御する例である。図中「Ａ」は、それぞれの発熱体の発熱量を基準発熱量Ｂよりも増した状態を表わす。発熱量を増す程度は適宜設定されればよく、例えば、基準発熱量から最大発熱量の１０％程度増加させた値とすることができる。このように、一旦発熱量をわずかに増加させた後にその発熱体を最小発熱量とすることによって、着座者には温度降下が刺激的に体感されるようになるため、より効果的にリフレッシュ感を与えることができる。
【００２９】
図７に示した例では、隣り合う発熱体の一方の発熱量が増加し、同時に他方が最小発熱量となる期間が生じる。例えば、ステップＳ１においては、背部の発熱体が発熱量Ａに増加するとともに、肩部の発熱体が最小発熱量Ｄとなっている。背部の発熱体の発熱量を増す時間が長いとその部位の温度が上昇し、温度が降下した肩部との差によって着座者に不快感を抱かせる場合がある。そこで、図８に示すように、当該ステップＳ１の終了前の一定時間のみ一方の発熱体の発熱量を増すように制御することが好ましい。例えば、図８においてステップＳ１を１５秒間とした場合、ステップＳ１の終了前５秒間（Ｓ１２）のみ、次に最小発熱量とする背部及び腰部の発熱量を増加させるようにすることができる。このような制御により、温度が低下した肩部に隣接する背部を短時間だけ温度上昇させ、着座者の爽快感が損なわれることを防ぐことができる。
【００３０】
シートヒータの使用開始直後であってシートが冷えている初期状態においては、上記制御方法１〜４に例示したような温熱ゆらぎ制御を実施しないで、所定時間の経過後又は所定温度に達したときに、温熱ゆらぎ制御を実施するようにすることができる。それによってシートヒータの暖まりを速くし、着座者が熱く感じる条件のときに限って温熱ゆらぎを生じさせることができる。
【００３１】
３．シートヒータの効果
図９は、本シートヒータにより温熱ゆらぎ制御を行った結果を表わす図である。図の横軸は前記シートヒータ１に通電を開始してからの時間を表わしている。図中で、温度Ｐは、着座者の尻部に当たるシート部位の表面温度の計測値を表わしている（左側目盛を参照。）。また、階段状に変化している評価値Ｑは、着座した被験者による体感の評価を１分ことに記録したものである（右側目盛を参照。）。体感は、冷たい（１）、やや冷たい（２）、やや暖かい（３）、やや熱い（４）、熱い（５）の５段階で評価しており、評価値３．５が快適と感じられる状態である。本例の温熱ゆらぎ制御は、前記制御方法２を繰り返し行う制御としている。
【００３２】
周囲温度及び上記シート表面温度が１０℃のとき、シートヒータ１への通電を開始した（時間：０分）。シートが冷えている初期状態では温熱ゆらぎ制御を行わず、各発熱体に基準発熱量となる通電を行うことによりシート温度を速く上昇させる。当初はシート表面が１０℃であるため、着座者には「冷たい」と評価されている。
シートの尻部の温度は、発熱体に電流を流し始めてから急速に上昇し、１０分経過するまでに３０℃以上となるため、着座者にはやや熱いと感じられる（評価値３．７５）。しかし２０分から４５分経過時までは、シート温度が緩やかに３８℃程度まで上昇するため、着座者が快適と評価する状態が続く。更にシート温度が上昇すると、着座者は「熱い」と感じるようになる。６０分経過時にはシート温度が３９．１℃になっていた。
【００３３】
そこで、６０分経過時から５分間、温熱ゆらぎ制御を行った。そうすると、温熱ゆらぎ制御の開始１分後には着座者が「快適」と評価する状態となり、その後も涼しくて快適と体感される状態が継続した。本シートヒータの温熱ゆらぎ制御によって着座者に爽快感が与えられることが分かる。
温熱ゆらぎ制御の開始から５分後には、シートの尻部の温度が３８．０℃であった。すなわち、温熱ゆらぎ制御による温度降下（ｐ）は１．１℃に止まっている。本シートヒータの温熱ゆらぎ制御によるシート温度の低下はわずかであるため、着座者が得る温熱感は保たれることとなる。図９では尻部の温度の計測値を示したが、その他の部位においても、温熱ゆらぎ制御による温度降下は１．１〜１．３℃であった。
以上の結果から、本シートヒータは、シート各部位にわたり温熱感を保ったまま、着座者に爽快感を与えるリフレッシュ効果を奏することができるといえる。
【００３４】
尚、本発明においては、以上に示した実施形態に限られず、目的、用途に応じて本発明の範囲内で種々変更した態様とすることができる。
以上の説明では、発熱体が肩部、背部、腰部、尻部及び腿部に設けられる場合を挙げたが、発熱体の数や配設位置はこれに限らない。また、発熱体を設ける場所はシートのみに限られず、例えば、ふくらはぎや足の裏等を載せる足載せ台に発熱体を設け、シートに設けた発熱体とあわせて温熱ゆらぎ制御を行うことができる。更に、温熱ゆらぎ制御の対象は、シートに設けたすべての発熱体であってもよいし、その一部であってもよい。
温熱ゆらぎの制御方法として制御方法１〜４を例示したが、これらを種々に変形し又は組み合わせた制御方法とすることができる。最小発熱量とする発熱体は、配設位置の順に巡回するように切り替えるほか、一端と他端を往復するように切り替えてもよい。温熱ゆらぎの制御の開始及び終了時期や、１つの発熱体を最小発熱量とする時間等は、適宜に設定したり調整したりすることができる。
【符号の説明】
【００３５】
１；シートヒータ、２；シート、２１；背もたれ部、２２；座面部、３１〜３５；発熱体（順に肩部、背部、腰部、尻部、腿部）、４；制御部、５；電源、Ａ；基準発熱量より大きい発熱量の状態、Ｂ；基準発熱量の状態、Ｃ；基準発熱量より小さい発熱量の状態、Ｄ；第１の最小発熱量の状態、Ｅ；第２の最小発熱量の状態。
【図１】
0005708189.tif 000002
【図２】
0005708189.tif 000003
【図３】
0005708189.tif 000004
【図４】
0005708189.tif 000005
【図５】
0005708189.tif 000006
【図６】
0005708189.tif 000007
【図７】
0005708189.tif 000008
【図８】
0005708189.tif 000009
【図９】
0005708189.tif 000010